(57)【要約】  【課題】ネットワークに接続されている複数の情報処理装置のうち軽微な処理を行っている装置を省電力モードに移行させる。  【解決手段】ネットワークで接続された複数の機器（マスタおよび機器Ａ〜機器Ｃ）によってオーディオ装置を構成する。各機器は、具備している機能および実行中の機能を示す情報をネットワークを介してマスタへ送信する。マスタは、各機器から受信した機器情報に基づいてデバイス管理テーブルを生成（更新）する。マスタは、デバイス管理テーブルを検索して以下の条件を満たす機器Ｂを検出する。すなわち、機器Ｂで実行中の機能が１つ（１０３）であって、機能（１０３）が他の機器Ｃにも共通に具備されている機能である場合に機器Ｂを検出する。マスタはさらに、機器Ｂに機能（１０３）を停止させるとともに機器Ｃに機能（１０３）を実行させた上で、機器Ｂに対して省電力モードに移行する指示を送る。  【選択図】図７
2005092417.tif 000002
【特許請求の範囲】
【請求項１】
複数の情報処理装置にそれぞれ具備されている機能および前記各装置で実行中の機能を示す装置情報をネットワークを介して前記各装置からそれぞれ取得する装置情報取得手段と、
前記装置情報取得手段で取得された装置情報に基づいて前記複数の装置の管理テーブルを作成する管理テーブル作成手段と、
前記管理テーブル作成手段で作成された管理テーブルを参照して、実行中の機能の数が所定数以下の第１の装置を検出する第１の検出手段と、
前記管理テーブル作成手段で作成された管理テーブルを参照して、前記第１の装置で実行中の機能と同一機能を具備する第２の装置を検出する第２の検出手段と、
前記ネットワークを介して実行中の機能の停止を前記第１の装置へ指示するとともに、前記第１の装置に停止を指示した機能と同一機能の実行開始を前記第２の装置へ指示する実行／停止指示手段と、
前記ネットワークを介して省電力モードへの移行を前記機能停止後の第１の装置へ指示する省電力指示手段とを備えることを特徴とする省電力管理装置。
【請求項２】
請求項１に記載の省電力管理装置において
前記管理テーブル作成手段は、前記装置情報取得手段によって前記装置情報が受信されるごとに前記管理テーブルを更新することを特徴とする省電力管理装置。
【請求項３】
請求項１または２に記載の省電力管理装置において
前記装置情報は、前記複数の情報処理装置からそれぞれ所定時間ごとに送信され、
前記所定時間を経過しても前記装置情報取得手段によって新たな装置情報が取得されない第３の装置を検出する第３の検出手段と、
前記管理テーブル作成手段で作成された管理テーブルを参照して、前記第３の装置で実行中の機能と同一機能を具備する第４の装置を検出する第４の検出手段とをさらに備え、
前記実行／停止指示手段はさらに、前記第３の装置で実行中の機能と同一機能の実行開始を前記ネットワークを介して前記第４の装置へ指示することを特徴とする省電力管理装置。
【請求項４】
複数の情報処理装置にそれぞれ具備されている機能および実行中の機能を示す装置情報をネットワークを介して省電力管理装置へ提供する装置情報提供手段と、
前記省電力管理装置からの指示を前記ネットワークを介して取得する指示取得手段と、
前記指示取得手段で取得された指示に応じて機能の実行開始もしくは実行中の機能を停止する実行／停止制御手段と、
前記指示取得手段で取得された省電力指示に応じて省電力モードに移行する省電力制御手段とを備えることを特徴とする情報処理装置。
【請求項５】
請求項４に記載の情報処理装置において、
前記装置情報は、装置の識別情報を含むことを特徴とする情報処理装置。
【請求項６】
請求項１〜請求項３のいずれかに記載の省電力管理装置と、
請求項４または請求項５に記載の情報処理装置とを備えることを特徴とする情報処理装置の省電力制御システム。
【請求項７】
複数の情報処理装置にそれぞれ具備されている機能および実行中の機能を示す装置情報を前記複数の情報処理装置からそれぞれ取得し、
前記取得した装置情報に基づいて前記複数の装置の管理テーブルを作成し、
前記作成した管理テーブルを参照して実行中の機能の数が所定数以下の第１の装置、および前記第１の装置で実行中の機能と同一機能を具備する第２の装置を検出し、
前記第１の装置に対する実行中の機能停止、前記第２の装置に対する前記第１の装置に停止を指示した機能と同一機能の実行開始、および前記第１の装置に対する省電力モードへの移行をそれぞれ指示することを特徴とする情報処理装置の省電力制御方法。
【発明の詳細な説明】
【技術分野】
【０００１】
本発明は、互いに接続された複数の情報処理装置による消費電力を削減する省電力制御システムに関する。
【背景技術】
【０００２】
ネットワークに接続されている情報処理装置による消費電力を抑える技術として、特許文献１の技術が知られている。特許文献１によれば、情報処理装置がネットワークに接続されて使用されておらず、かつ当該情報処理装置に対する入力が一定時間行われない場合に、その時点における当該情報処理装置の状態を回復させるために必要な情報を退避させたうえで当該情報処理装置が省電力モードに移行される。
【０００３】
【特許文献１】特開平７−１３４６２８号公報
【発明の開示】
【発明が解決しようとする課題】
【０００４】
特許文献１に記載の技術では、少なくとも１つの処理が行われている情報処理装置は省電力モードに移行されない。したがって、ネットワークに接続されている複数の情報処理装置のそれぞれが軽微な処理を行っていると、情報処理装置は１台も省電力モードに移行されないので、システム全体の消費電力は削減されない。
【課題を解決するための手段】
【０００５】
本発明は、ネットワークに接続された複数の情報処理装置による消費電力を削減する技術に関し、複数の情報処理装置にそれぞれ具備されている機能および実行中の機能を示す装置情報を複数の情報処理装置からそれぞれ取得し、取得した装置情報に基づいて複数の装置の管理テーブルを作成し、作成した管理テーブルを参照して実行中の機能の数が所定数以下の第１の装置、および第１の装置で実行中の機能と同一機能を具備する第２の装置を検出し、第１の装置に対する実行中の機能停止、第２の装置に対する第１の装置に停止を指示した機能と同一機能の実行開始、および第１の装置に対する省電力モードへの移行をそれぞれ指示するようにしたものである。
【発明の効果】
【０００６】
本発明によれば、ネットワークに接続されている複数の情報処理装置のうち所定数以下の機能を実行中、すなわち、軽微な処理を行っている装置について、システム全体で実行中の機能を低下させることなく省電力モードに移行させるので、システム全体の消費電力を低減できる。
【発明を実施するための最良の形態】
【０００７】
以下、図面を参照して本発明を実施するための最良の形態について説明する。
図１は、本発明の一実施の形態による省電力制御システムの全体構成図である。図１において、ネットワークに複数の情報処理装置が接続されている。情報処理装置は、管理装置であるマスタ（以後、マスタと呼ぶ）、機器Ａ、機器Ｂおよび機器Ｃによって構成されている。
【０００８】
ネットワークは、たとえば、ＩＥＥＥ（登録商標）１３９４シリアルバス（以後、１３９４バスと呼ぶ）によって構成されている。上述した複数の情報処理装置は、それぞれが１３９４バスで接続されている。
【０００９】
ネットワークの方式は、１３９４バスの他にイーサネット（登録商標）などの異なる方式を用いてもよい。ネットワークが１３９４バスの場合は、各機器がネットワークにデイジーチェイン接続される。ネットワークの方式が異なる場合には、当該ネットワーク方式に応じた接続方式（たとえば、ツリー接続）で各機器がネットワークに接続される。
【００１０】
図１の機器Ａ〜機器Ｃのそれぞれは、マスタから１３９４バスを介して送信される指令に応じて、当該機器を通常動作モードから省電力モードに切換えたり、省電力モードから通常動作モードに切換えたりするように構成されている。通常動作モードは、当該機器に備えられている所定の機能を実行するとともに、１３９４バスを介してマスタおよび他の機器との間で通信を行う動作モードである。省電力モードは、１３９４バスを介してマスタから送信される通常動作モードへ復帰する指令に対する応答に必要な最低限の機能を除く他の機能を停止させ、当該機器で消費される電力を低減する動作モードである。
【００１１】
上述した情報処理装置によってオーディオ装置を構成する例について説明する。１３９４バス上において、マスタ、機器Ａ、機器Ｂおよび機器Ｃには、それぞれ「１」、「０」、「２」、「３」の識別ＩＤが付与されている。マスタは、機器Ａ、機器Ｂおよび機器Ｃからそれぞれ送信される各機器の機器情報を受信し、受信内容に基づいてオーディオ装置全体の動作を管理する。
【００１２】
機器Ａは、放送を選局するチューナ機能と、バスマネージャ機能（以後、ＢＭ機能と呼ぶ）と、アイソクロナスリソースマネージャ機能（以後、ＩＲＭ機能と呼ぶ）とを有する。機器Ｂは、ＤＶＤ(digital Versatile disk)再生機能と、サイクルマスタ機能（以後、ＣＭ機能と呼ぶ）とを有する。機器Ｃは、アンプ機能と、ＣＭ機能と、ＩＲＭ機能とを有する。ここで、ＢＭ機能、ＣＭ機能およびＩＲＭ機能は、それぞれ１３９４バスにおける周知の管理機能である。
【００１３】
１３９４バスで接続されたオーディオ装置は、ＢＭ機能、ＣＭ機能およびＩＲＭ機能のそれぞれについて、オーディオ装置を構成する機器Ａ〜機器Ｃのうち少なくとも１つの機器で備えていればよい。しかしながら、実際にはオーディオ装置の組合わせの自由度を高めるために、上述した通り、複数の機器で共通の機能が備えられている。たとえば、ラジオ放送のみを楽しみたいユーザは、ＤＶＤ再生を行う機器Ｂが不要である。もし、ＣＭ機能が機器Ｂのみに搭載されている場合、機器Ｂはオーディオ装置に必須の構成になってしまう。ＣＭ機能を機器Ｃにも搭載しておくことで、機器Ｂを含めなくてもオーディオ装置を構成することが可能になる。このような理由により、ＣＭ機能やＩＲＭ機能などが複数の機器に共通に備えられている。なお、ＢＭ機能を複数の機器に備えてもよい。
【００１４】
複数の機器に共通に具備される機能は、上述した機能の他に以下のものがあげられる。
１．データ量監視機能
ネットワーク中の音声や映像などのデータ量を監視し、１サイクル中にどのくらいのデータを流せるかを管理する。
２．転送速度管理機能
１３９４バスには、データの転送速度が１００メガビット／sec(以後、Mbpsとする)、２００Mbps、４００Mbpsなどのように、異なる転送速度の機器を混在させて接続することができる。したがって、接続状態を考慮して最大の速度でデータを送信するように管理する。
３．エラー監視機能
通信時の応答失敗、１３９４バスケーブルの切断、および不正なパケット等が生じていないかを監視する。
４．ルート機能
複数の機器が同時に音声や映像などのデータを１３９４バスに転送しないように、送信順序を管理する。
【００１５】
図１の機器Ａ、機器Ｂおよび機器Ｃは、それぞれの機器情報をマスタへ送信する。機器情報は、当該機器の識別ＩＤ、各機器が具備している機能、および具備している機能のうち実行中の機能を示すデータを含む。図２は、各機器が具備している機能および実行中の機能を説明する図である。図２において、黒丸は実行中の機能を示し、白丸は具備している機能のうち実行していない機能を示す。
【００１６】
黒丸および白丸に付されている符号は、機能に対応する機能コードである。機能コードおよび対応する機能の関係は以下の通りである。
１０１…ＢＭ機能
１０２…ＩＲＭ機能
１０３…ＣＭ機能
２０１…チューナ機能
３０１…ＤＶＤ再生機能
９０１…アンプ機能
【００１７】
図２の機器Ａを例にとれば、機器Ａは機能コード「１０１」、「１０２」および「２０１」に対応する各機能を備え、機能コード「１０１」および「２０１」に対応する機能をそれぞれ実行中であることを示している。
【００１８】
図３は、機器Ａがマスタに対して送信する機器情報通知の一例を示す図である。機器Ａは、当該機器の識別ＩＤ「０」に続けて、具備機能に対応するコード「１０１」、「２０１」および「１０２」と、実行中機能に対応するコード「１０１」および「２０１」とを送信する。機器Ｂおよび機器Ｃも同様に、マスタに対して機器情報通知を送信する。
【００１９】
マスタは、各機器から機器情報を受信すると、図４に示すデバイス管理テーブルを生成する。図４のデバイス管理テーブルにおいて、各機器（デバイス）が具備する機能に対応するフラグが１に、各機器（デバイス）が具備しない機能に対応するフラグが０にされる。また、各機器（デバイス）が実行中の機能に対応するフラグが１に、各機器（デバイス）が実行していない機能に対応するフラグが０にされる。
【００２０】
機器Ａ、機器Ｂおよび機器Ｃは、それぞれの機器情報に変更があると、ただちに変更後の機器情報をマスタへ送信する。図２の機器Ｂを例にとれば、当初は機能コード「１０３」および「３０１」に対応する機能を備え、両機能はともに実行中であった。機器ＢがＤＶＤ再生を終了した場合、機器Ｂは図５に示す機器情報通知をマスタへ送信する。図５において、当該機器の識別ＩＤ「２」に続けて、具備機能に対応するコード「１０３」および「３０１」と、実行中機能に対応するコード「１０３」とが送信される。
【００２１】
マスタは、変更後の機器情報を受信すると、図６に示すようにデバイス管理テーブルを更新する。図６のデバイス管理テーブルにおいて、機器Ｂ（識別ＩＤ＝２）の機能コード「３０１」に対応する機能の実行中フラグが０に更新されている。
【００２２】
図７は、機器ＢがＤＶＤ再生を終了した状態において、各機器が具備している機能および実行中の機能を説明する図である。図７において、機器Ｂが実行中の機能は１つ（機能コード「１０３」に対応）であり、当該機能は他の機器（図７の例では機器Ｃ）にも共通に具備されている。したがって、機器Ｂに機能コード「１０３」の機能を停止させる代わりに、機器Ｃに機能コード「１０３」の機能を実行させると、ネットワーク外部から見たオーディオ装置としての動作に制限を与えることなく、機器Ｂのみを省電力モードに切換えることができる。
【００２３】
図８は、具備する全ての機能が停止した機器Ｂを省電力モードに切換えた状態を示す図である。マスタおよび機器Ａ〜機器Ｃの全てが通常の動作モードに設定されている図７の場合に比べて、動作中の機能を示す機能コードが同一でありながら、オーディオ装置全体の消費電力は機器Ｂが省電力モードに切換えられていることによって低減されている。
【００２４】
なお、機器Ｂにおいて再びＤＶＤ再生を行うように操作された場合は、機器Ｂが省電力モードから通常動作モードへ切り換えるとともに、ＤＶＤ再生機能（機能コード３０１）を開始する。機器Ｂはさらに、変更後の機器情報をマスタへ送信する。
【００２５】
マスタから機器Ｂへ再びＤＶＤ再生を行うように指令を送信する場合は、マスタからの指令に応じて機器Ｂが省電力モードから通常動作モードへ切り換えるとともに、ＤＶＤ再生機能（機能コード３０１）を開始する。機器Ｂはさらに、変更後の機器情報をマスタへ送信する。
【００２６】
上述したマスタに内蔵されるＣＰＵ（不図示）で行われる省電力処理の流れについて、図９のフローチャートを参照して説明する。図９による処理は、マスタのメインスイッチがオンされている状態で繰り返し実行される。図９のステップＳ１１において、ＣＰＵは、機器情報を受信したか否かを判定する。ＣＰＵは、機器Ａ〜機器Ｃのいずれかから機器情報を受信するとステップＳ１１を肯定判定してステップＳ１２へ進み、機器情報を受信しない場合はステップＳ１１を否定判定し、図９による処理を終了する。
【００２７】
ステップＳ１２において、ＣＰＵは、受信した機器情報に基づいてデバイス管理テーブルを更新し、ステップＳ１３へ進む。ステップＳ１３において、ＣＰＵは、デバイス管理テーブルを検索して実行中の機能数＝１のデバイスが存在するか否かを判定する。ＣＰＵは、実行中の機能数＝１のデバイスが存在する場合にステップＳ１３を肯定判定してステップＳ１４へ進み、実行中の機能数＝１のデバイスが存在しない場合にはステップＳ１３を否定判定し、図９による処理を終了する。
【００２８】
ステップＳ１４において、ＣＰＵは、デバイス管理テーブルを検索し、実行中の機能数＝１のデバイスと同機能を有する他のデバイスが存在するか否かを判定する。ＣＰＵは、同機能を具備するデバイスが存在する場合にステップＳ１４を肯定判定してステップＳ１５へ進み、同機能を具備するデバイスが存在しない場合にはステップＳ１４を否定判定し、図９による処理を終了する。
【００２９】
ステップＳ１５において、ＣＰＵは、ステップＳ１３で検出したデバイスに実行中の機能を停止するように指示を送ってステップＳ１６へ進む。ステップＳ１６において、ＣＰＵは、ステップＳ１４で検出したデバイスに停止中の機能の実行を開始させる指示を送ってステップＳ１７へ進む。ステップＳ１７において、ＣＰＵは、ステップＳ１３で検出したデバイスに省電力モードへ移行するように指示を送り、図９による処理を終了する。
【００３０】
上述した各機器（デバイス）に内蔵されるＣＰＵ（不図示）で行われる省電力処理の流れについて、図１０のフローチャートを参照して説明する。図１０による処理は、各機器のメインスイッチがオンされている状態（省電力動作モード時を含む）で繰り返し実行される。
【００３１】
図１０のステップＳ５１において、ＣＰＵは、省電力動作モードか否かを判定する。ＣＰＵは、当該機器を省電力モードに切換えている場合にステップＳ５１を肯定判定してステップＳ５８へ進み、当該機器を省電力モードに切換えていない（通常動作モードである）場合にステップＳ５１を否定判定し、ステップＳ５２へ進む。
【００３２】
ステップＳ５２において、ＣＰＵは、機能を実行開始する指示、もしくは機能の実行を停止する指示を受信したか否かを判定する。ＣＰＵは、マスタから指示を受信した場合にステップＳ５２を肯定判定してステップＳ５３へ進み、マスタから指示を受信しない場合にステップＳ５２を否定判定し、ステップＳ５６へ進む。
【００３３】
ステップＳ５３において、ＣＰＵは、受信した指示に応じて停止中の機能の実行を開始、もしくは実行中の機能の実行を停止させてステップＳ５４へ進む。ステップＳ５４において、ＣＰＵは、実行中の機能に変化があるか否かを判定する。ＣＰＵは、実行中の機能に変化が生じている場合にステップＳ５４を肯定判定してステップＳ５５へ進み、実行中の機能に変化が生じていない場合にステップＳ５４を否定判定し、図１０による処理を終了する。ステップＳ５４を否定判定する場合は、動作中の機能を一旦停止させた後に再び同機能を動作開始させる場合である。
【００３４】
ステップＳ５５において、ＣＰＵは、機器情報をマスタへ送信してステップＳ５６へ進む。ステップＳ５６において、ＣＰＵは、省電力モードへ移行する指示を受信したか否かを判定する。ＣＰＵは、マスタから指示を受信した場合にステップＳ５６を肯定判定してステップＳ５７へ進み、マスタから指示を受信しない場合にステップＳ５６を否定判定し、図１０による処理を終了する。
【００３５】
ステップＳ５７において、ＣＰＵは、当該機器を通常動作モードから省電力モードに切換えて図１０による処理を終了する。
【００３６】
上述したステップＳ５１を肯定判定して進むステップＳ５８において、ＣＰＵは、省電力モードから通常動作モードへ復帰する指示を受信したか否かを判定する。ＣＰＵは、マスタから指示を受信した場合にステップＳ５８を肯定判定してステップＳ５９へ進み、マスタから指示を受信しない場合にステップＳ５８を否定判定し、図１０による処理を終了する。
【００３７】
ステップＳ５９において、ＣＰＵは、当該機器を省電力モードから通常動作モードに切換えてステップＳ５２へ進む。
【００３８】
以上説明した実施の形態についてまとめる。
（１）ネットワークで接続された複数の機器（マスタおよび機器Ａ〜機器Ｃ）によって情報処理装置（オーディオ装置）を構成する。各機器は、具備している機能および実行中の機能を示す情報をネットワークを介してマスタへ送信する。マスタは、各機器から受信した機器情報に基づいてデバイス管理テーブルを生成（更新）するようにした。したがって、マスタは各機器の負荷状態を管理することができる。
【００３９】
（２）マスタは、デバイス管理テーブルを検索して以下の条件を満たす機器Ｂを検出する。すなわち、機器Ｂで実行中の機能が１つであって、当該機能が他の機器Ｃにも共通に具備されている機能である場合に機器Ｂを検出する。マスタはさらに、機器Ｂに当該機能を停止させるとともに機器Ｃに同一機能を実行させた上で、機器Ｂに対して省電力モードに移行する指示を送るようにした。この結果、オーディオ装置全体で動作中の機能を同一に保ちながら、装置全体の消費電力を低減できる。
【００４０】
（３）各機器において実行中の機能に変化が生じた場合（ステップＳ５４を肯定判定）に各機器が機器情報をマスタへ送信する（ステップＳ５５）ようにしたので、マスタは各機器の動作状況を確実に把握することができる。この結果、省電力モードに切換えることが可能な機器が存在する場合に、当該機器を確実に検出して省電力モードに移行させ、装置全体の電力消費を抑えることができる。
【００４１】
上述したステップＳ１３において、マスタ側のＣＰＵがデバイス管理テーブルを参照することにより、実行中の機能数＝１のデバイスが存在するか否かを判定するようにした。機能数＝１は、軽微な処理を行っているデバイスを検出するための判定条件であるので、１と異なる値を設定してもよい。デバイスの処理能力に応じて、実行中の機能数が３以下のデバイスや、実行中の機能数が５以下のデバイスが存在するか否かを判定すればよい。
【００４２】
デバイス管理テーブルは、特定の機器に集中した負荷を分散させるために使用してもよい。特定の機器に負荷が集中（多数の機能を実行する）すると、当該機器の処理速度が低下し、当該機器がマスタや他の機器との間でネットワークを介して行う通信速度が低下する。このため、装置全体の処理速度が低下するおそれが生じる。そこでマスタは、デバイス管理テーブルを検索して以下の条件を満たす機器Ｐを検出する。すなわち、負荷が集中している機器Ｑで実行中の機能と同機能を有する機器Ｐを検出する。マスタはさらに、機器Ｑに機能の一部を停止させるとともに、機器Ｐに対して機器Ｑで停止した機能と同一機能を実行させる。この結果、各機器の負荷を平準化して装置およびネットワーク自体の能力低下を防止することができる。
【００４３】
上記の例では、実行中の機能に変化があった場合に機器情報をマスタへ送信するようにしたが、機器情報を定期的（周期的）に各機器からマスタへ送信するようにしてもよい。この場合には、機器からある一定の時間以上機器情報が送信されないときは当該機器に異常が発生したとマスタが判定することにより、マスタが各機器の故障診断を行うことができる。
【００４４】
マスタはさらに、異常を判定した機器Ｍで実行中の機能と同機能を有する他の機器Ｎをデバイス管理テーブルを参照して検出し、機器Ｍへの電源供給を遮断させるとともに機器Ｎに対して機器Ｍで実行していた機能と同一機能を実行させる。これにより、オーディオ装置全体で動作中の機能を同一に保ちながら、装置およびネットワーク全体を停止させることもないので、装置の信頼性を高めることができる。
【００４５】
特許請求の範囲における各構成要素と、発明を実施するための最良の形態における各構成要素との対応について説明する。情報処理装置は、たとえば、機器Ａ〜機器Ｃによって構成される。装置情報は、たとえば、機器情報が対応する。装置情報取得手段、管理テーブル作成手段、第１の検出手段、第２の検出手段、実行／停止指示手段、および省電力指示手段は、たとえば、マスタ内のＣＰＵによって構成される。第１の装置は、たとえば、機器Ｂが対応する。第２の装置は、たとえば、機器Ｃが対応する。省電力管理装置は、たとえば、マスタによって構成される。
【００４６】
第３の装置は、たとえば、機器Ｍが対応する。第４の装置は、たとえば、機器Ｎが対応する。第３の検出手段および第４の検出手段は、たとえば、マスタ内のＣＰＵによって構成される。装置情報提供手段、指示取得手段、実行／停止制御手段、および省電力制御手段は、たとえば、機器Ａ〜機器Ｃ内のＣＰＵによって構成される。なお、本発明の特徴的な機能を損なわない限り、各構成要素は上記構成に限定されるものではない。
【図面の簡単な説明】
【００４７】
【図１】本発明の一実施の形態による省電力制御システムの全体構成図である。
【図２】各機器が具備している機能および実行中の機能を説明する図である。
【図３】機器がマスタへ送信する機器情報通知の一例を示す図である。
【図４】デバイス管理テーブルを示す図である。
【図５】機器がマスタへ送信する機器情報通知の一例を示す図である。
【図６】更新後のデバイス管理テーブルを示す図である。
【図７】各機器が具備している機能および実行中の機能を説明する図である。
【図８】機器Ｂを省電力モードに切換えた状態を示す図である。
【図９】マスタで行われる省電力処理の流れを説明するフローチャートである。
【図１０】各機器で行われる省電力処理の流れを説明するフローチャートである。
【符号の説明】
【００４８】
１０１…ＢＭ機能
１０２…ＩＲＭ機能
１０３…ＣＭ機能
２０１…チューナ機能
３０１…ＤＶＤ再生機能
９０１…アンプ機能
Ａ、Ｂ、Ｃ…機器
【図１】
2005092417.tif 000003
【図２】
2005092417.tif 000004
【図３】
2005092417.tif 000005
【図４】
2005092417.tif 000006
【図５】
2005092417.tif 000007
【図６】
2005092417.tif 000008
【図７】
2005092417.tif 000009
【図８】
2005092417.tif 000010
【図９】
2005092417.tif 000011
【図１０】
2005092417.tif 000012